(57)【特許請求の範囲】
【請求項１】
上流側に隔壁により区画する二列の球通路を設けて形成し、前記二列の球通路は略水平な上部から下方外方へ蛇行する傾斜部が形成され、前記傾斜部に対応する隔壁の略中間の所定箇所に貫通孔を穿設し、前記貫通孔の下端側に一方の球通路と他方の球通路とを合流させる導通路を設け、前記導通路から下流側には直長状に垂下延長された１条の送出路を形成してなるパチンコ機のパチンコ球整流装置であって、
前記導通路は、一方の球通路から他方の球通路に臨む凸状に湾曲した円弧斜面部と、該円弧斜面部の上端に連続し凹状に湾曲する円弧部とからなり、
前記送出路は、前記導通路に対向する壁を外側へ張り出させた膨出壁部とする一方、前記円弧斜面部の下端から下流側の隔壁部分を前記膨出壁部の膨出量に応じて張り出させた張出部として１個のパチンコ球が通過する幅員とし、
前記二列の球通路のパチンコ球を１個置きに交互に送出路に流下させるようにしたことを特徴とするパチンコ機のパチンコ球整流装置。
【発明の詳細な説明】
【０００１】
【発明の属する技術分野】
本発明は、貯留タンクから供給される二列のパチンコ球通路を、一列に変更整流してパチンコ球払出装置へ送り出すパチンコ機のパチンコ球整流装置に関する。
【０００２】
【従来の技術】
従来、パチンコ機の裏面には、遊技盤の裏面全体を覆うように機構板が装着され、この機構板の上方部に貯留タンクが配設されている。この貯留タンクの下方に貯留タンク内のパチンコ球を導き出す誘導樋が接続され、この誘導樋の下流側に接続された景品球払出装置に、一回の払出動作によって払出される数のパチンコ球を補給し貯留するようになっていることは良く知られている。
【０００３】
ところで、最近のパチンコ機のパチンコ球払出装置は、パチンコ球を１個単位で計数するようにし、入賞したパチンコ球ごとに払出されるパチンコ球の定量数を１個単位に設定、変更調整できるようにした構造のものが提供されているが、このようなパチンコ球放出装置へは、貯留タンクからそれぞれ二列に整流した誘導樋の各列のパチンコ球を１個ずつ交互に順番に制御して送り出してやらなければならない。
【０００４】
このような二列の球通路の各列のパチンコ球を１個単位で制御して前記パチンコ球払出装置へ送り出す機構として、外周に数個の円弧面とパチンコ球が嵌入し得る凹窪を等間隔で形成した円盤状になる回転体を前記二列の各列の球通路ごとに臨ませて設置し、各列の回転体は互いの円弧面の１個分に対する半ピッチを回転方向へ変位させて並列に設置し、一方の回転体の円弧面が一方の球通路に臨んでいるとき、他方の回転体の凹窪が他方の球通路に臨んで互いの回転体の円弧面と凹窪が各列の球通路に食い違い状に臨ませることにより、各列のパチンコ球を１個ずつ所定のタイミング差を以て交互に取り込んで送出すようにしている。
【０００５】
そして、これら二列の球通路に並列設置した２個の回転体を回転駆動させる手段として、球通路の傾斜により上方からの球圧を受けて回転駆動する方法によるもの（特公平５−５５１５号公報参照）、或は、ガンギ車と、電磁石によって駆動するアンカー部材の両端の爪を交互に係合させてガンギ車を回転させることにより２個の回転体を回転させる方法を用いたもの（特開昭６１−７６１８１号公報参照）等が開示されている。
【０００６】
【発明が解決しようとする課題】
従来の技術で説明したような二列の球通路のパチンコ球を１個単位で送出制御する機構は、二列の球通路にそれぞれ個々に設置する２個の回転体が必要であり、これら２個の回転体は回転体の円弧面と凹窪が各列の球通路に食い違い状に臨ませるための所定のピッチ差を有して設置しなければならず、しかも円盤状の回転体はそれぞれの球通路を通過するパチンコ球の中心となる位置に設置しなければならないために、部品点数が多く、組み立ても精度が要求される困難なものであった。
【０００７】
更に、ガンギ車と電磁石で作動するアンカーにより回転体を駆動させる方法では部品点数が更に多くなり、それに伴って構造も複雑となり、しかも、電磁石やアンカーの設置スペースの確保と困難な組み立て作業を余儀なくされている。その結果、生産効率が悪く経済性も良くないものであった。それ故に、部品点数を少なくして構造を簡素化することが望まれている。
【０００８】
本発明は、上記の点に鑑みてなされたものであって、その目的とするところは、二列の球通路を下方外側へ蛇行させて傾斜部を形成し、これら二列の球通路の傾斜部に一方の球通路から他方の球通路へ連通する導通路を設け、一方の球通路のパチンコ球がこの導通路を通過するときの球圧を球通路の蛇行によって程よく緩和させることにより球詰まりを生じさせることなく、一方の球通路のパチンコ球を一個ごとに他方の球通路のパチンコ球へ一個置きに交互に流入案内することにより、簡素な構造で、二列の球通路を一列に整流するパチンコ機のパチンコ球整流装置を提供するものである。
【０００９】
【課題を解決するための手段】
上記目的を達成するために、本発明に係るパチンコ機のパチンコ球整流装置は、上流側に隔壁により区画する二列の球通路を有し、該球通路を上流側で下方外方へ蛇行させて傾斜部を形成すると共に該傾斜部の隔壁に貫通孔を穿設し、該貫通孔の下流端側に一方の球通路から他方の球通路へパチンコ球を流入案内する案内片を有する導通路を設け、該導通路から下流側にパチンコ球が１条で一列に整列する送出路を形成してなる。
【００１０】
前記案内片は凸状に膨らむ円弧斜面部を有するのが好ましい。
【００１１】
前記送出路は、この送出路に相当する後壁の部分箇所に外側へ張り出す膨出壁部を形成すると共に案内片の下端から下流側の隔壁部分に前記膨出壁部に相当する膨出部を設けてパチンコ球が一条で通過し得る幅員を備えさせて形成するのが好ましい。
【００１２】
【発明の実施の形態】
本発明の実施の形態を図面を参照して説明すると、図１はパチンコ機の概略裏面図を示し、１は遊技盤、２は遊技盤の後面に設置された機構板、３は機構板の上方に設けられた球タンク、４は上流側を球タンクに接続し、下流側でパチンコ球がそれぞれ１条に並ぶ２列の通路部を有して形成された誘導樋、５はパチンコ球を１個単位で計数して所定個数のパチンコ球を下端に接続する排出樋６を介してパチンコ機の表面に設けた球受皿（図示せず）に払出すパチンコ球払出装置をそれぞれ示す。
【００１３】
本発明のパチンコ球整流装置７は、図２及び図３に示すように、カーブ壁８、前壁９、後壁１０によりケース体として組立てられる。前記カーブ壁８は上面部８ａの一端側から上部湾曲部８ｂ、湾曲凹面部８ｃ、傾斜面部８ｄ、下部湾曲面部８ｅを下方外方へ一連的に蛇行させると共に前記下部湾曲面部８ｅから直長状に垂下延長する側面部８ｆを有して一連に形成され、このカーブ壁８の上面部８ａから側面部８ｆに至る内部を区画する隔壁１１により２列の球通路１２ａ，１２ｂを設けて形成され、これら二列の球通路１２ａ，１２ｂは前記カーブ壁８と対応する略水平な上部から上部湾曲部、凹状湾曲部、傾斜部、下部湾曲部を下方外方へ一連に蛇行させると共に下部湾曲部から直長状の垂下延長部を一連に有する樋として形成されている。前記隔壁１１は、前記カーブ壁８の湾曲凹面部８ｃと下部湾曲面部８ｅとの間の傾斜面部８ｄに対応する部分に一方の球通路１２ｂから他方の球通路１２ａへ連通する導通路１３を設けて、該導通路１３から上流側の前記カーブ壁８の上面部８ａから下部湾曲面部８ｅに至る隔壁１１の両側にそれぞれ１条に並ぶ二列の球通路１２ａ，１２ｂが形成され、パチンコ球Ａ１、Ａ２、Ａ３…及びＢ１、Ｂ２、Ｂ３…がそれぞれ一条で並ぶ一列に整列されて流下し、これら二列の球通路１２ａ，１２ｂは、導通路１３の下流側のカーブ壁８の垂直な側面部８ｆの部分で一列となる送出路１２ｃが形成され、パチンコ球Ｃ１，Ｃ２…が一列に整流されて流下するようになっている。そして、前記パチンコ球整流装置７は上流側の二列の球通路１２ａ，１２ｂを球タンク３の誘導樋４に接続し、下流側の送出路１２ｃをパチンコ球払出装置５に接続させて設置する。
【００１４】
前記導通路１３は隔壁１１に貫通孔１４を貫通穿設し、該貫通孔１４の下端側に案内片１５を一方の球通路１２ｂから他方の球通路１２ａへ臨ませて設置する。前記案内片１５は、図４（イ）〜（ホ）に示すように、凸状に湾曲する円弧斜面部１５ａを有して形成し、該円弧斜面部１５ａの上端に一連に備える凹状に湾曲する円弧部１５ｂを前壁９の内面、即ち球通路１２ｂの内側面に連接し、凸状の円弧斜面部１５ａを球通路１２ｂから隔壁１１の貫通孔１４を通って球通路１２ａへ臨ませて設置する。前記導通路１３から下流側の送出路１２ｃに対応する前記後壁１０の箇所には外側に膨出する膨出壁部１６を設けると共に下流側の送出路１２ｃの隔壁１１の球通路面に前記膨出壁部１６の膨出量に応じた張出部１７を設けて送出路１２ｃの隔壁１１を膨出壁部１６の側へずらして１個のパチンコ球が通過する幅員を備えさせて形成する。
【００１５】
尚、１８，１８は図示しないねじによりケース体をねじ止め組立てるためのねじ孔。１９，１９はパチンコ球整流装置７を遊技盤１の裏面にねじ止め設置するためのねじ孔を示す。
【００１６】
図４（イ）〜（ホ）は、パチンコ球整流装置７の二条の球通路１２ａ，１２ｂ内のパチンコ球が流下移動して一条に整流する状態を示し、パチンコ球払出装置５が作動しない状態において、パチンコ球整流装置７の一方の球通路１２ａのパチンコ球Ａ１，Ａ２，Ａ３…と他方の球通路１２ｂのパチンコ球Ｂ１，Ｂ２，Ｂ３…及び送出路１２ｃのパチンコ球Ｃ１，Ｃ２…も同様に静止しており、このような静止状態において球通路１２ｂのパチンコ球Ｂ１は、図４（イ）に示すように、送出路１２ｃの最上部のパチンコ球Ｃ１に抑えられると同時にこのパチンコ球Ｂ１が球通路１２ａのパチンコ球Ａ１と球通路１２ｂから導通路１３に入り込んでいるパチンコ球Ｂ２を押え込んでパチンコ球Ａ１とＢ２をほぼ並列位置に静止している。そして、パチンコ球払出装置５が作動すると、送出路１２ｃのパチンコ球Ｃ１，Ｃ２…が流下する。そして、パチンコ球Ｂ１が流下を開始し、球通路１２ａと１２ｂのパチンコ球Ａ１とＢ２も流下を開始する。この状態において、パチンコ球Ａ１がパチンコ球Ｂ１に続いて流下し、このときに次のパチンコ球Ｂ２には、図４（ロ）に示すように、案内片１５の凸状の円弧斜面部１５ａを通過するときに水平方向の大きな球圧が作用して球通路１２ａのパチンコ球Ａ２の流下を抑えて、パチンコ球Ｂ２は、図４（ハ）、（ニ）に示すように、パチンコ球Ａ１とＡ２の間に割り込んで、パチンコ球Ａ１に次いで送出路１２ｃへ流入する。次に、パチンコ球Ａ２はパチンコ球Ｂ２に続いて流下し、図４（ホ）に示すように、図４（イ）と同じ状態になる。このようにしてパチンコ球Ａ１，Ａ２，Ａ３…とパチンコ球Ｂ１，Ｂ２，Ｂ３…は、Ｂ１，Ａ１，Ｂ２，Ａ２，Ｂ３，Ａ３，Ｂ４の順に流下し、パチンコ球払出装置５が作動する毎にこのようなパチンコ球の流下順序を繰り返して、球通路１２ｂのパチンコ球Ｂが一個ごとに球通路１２ａのパチンコ球Ａを一個置きに交互に送出路１２ｃに流下する。
【００１７】
【発明の効果】
以上説明したように本発明によれば、下流側の所定箇所に一方の球通路から他方の球通路へ連通する導通路を設け、一方の球通路のパチンコ球がこの導通路を通過するときに導通路に設けた案内片によって水平方向に働く大きな球圧が与えられることにより、一方の球通路のパチンコ球を一個ごとに他方の球通路のパチンコ球へ一個置きに交互に流入案内する。しかも、上流側の二列の球通路は下方外方へ蛇行させて導通路を傾斜部に設けることにより導通路を通過する球圧が程よく緩和されて、球詰まりを生じさせることなく、二列の球通路にあるパチンコ球の流下を確実に確保しつつ一列に整流する。そして、二列のパチンコ球を一列に整流してパチンコ球放出装置へ滞ることなく確実に流下供給することができる。しかも、簡素な構造で安価に提供することができる等の効果を奏する。
【図面の簡単な説明】
【図１】本発明のパチンコ球整流装置を設置して示すパチンコ機の裏面図である。
【図２】本発明のパチンコ球整流装置の斜視図である。
【図３】本発明のパチンコ球整流装置の断面図である。
【図４】本発明のパチンコ球整流装置の２列の球通路から導通路を通過して１列に整流される状態を示す要部断面図で、（イ）はパチンコ球払出装置が作動しないときの通路内のパチンコ球が静止している状態を示し、（ロ）パチンコ球払出装置が作動して整流装置のパチンコ球が流下を開始したときの２条の球通路の景品球が流下を開始して導通路を通過する状態を示し、（ハ）、（ニ）、（ホ）はパチンコ球払出装置が作動して一方の球通路のパチンコ球が他方の球通路のパチンコ球に割り込んで放出路へ流下する状態を順に示したものである。
【符号の説明】
３        球タンク
４        誘導樋
５        パチンコ球払出装置
７        パチンコ球整流装置
８        カーブ壁
８ａ      カーブ壁の上面部
８ｂ      カーブ壁の上部湾曲面部
８ｃ      カーブ壁の湾曲凹面部
８ｄ      カーブ壁の傾斜面部
８ｅ      カーブ壁の下部湾曲面部
８ｆ      カーブ壁の側面部
９        前壁
１０      後壁
１１      隔壁
１２ａ    球通路
１２ｂ    球通路
１２ｃ    送出路
１３      導通路
１４      貫通孔
１５      案内片
１５ａ    凸状の円弧斜面部
１５ｂ    凹状の円弧部
１６      膨出壁部
１７      張出部
【図１】
0004002627.tif 000002
【図２】
0004002627.tif 000003
【図３】
0004002627.tif 000004
【図４】
0004002627.tif 000005